(57)【要約】【課題】省電力モードにおける消費電力を削減する画像形成装置を提供する。【解決手段】画像形成装置１は、通常電力モードと省電力モードとで動作する。画像形成装置１の本体には、前扉２２及び右扉２３が設けられる。画像形成装置１は、省電力モード時にいずれかの扉が開かれることで通常電力モードに復帰する。画像形成装置１は、前扉２２の開閉を検知する前扉センサ３１、両扉の開閉を検知する両扉センサ３２、及び右扉２３の開閉を検知する右扉センサ３３を備える。前扉センサ３１及び右扉センサ３３は、通常電力モード時に動作し、両扉センサ３２は電力モードによらず動作する。画像形成装置１は、省電力モードで両扉センサ３２により前扉２２及び右扉２３のいずれかが開いたことを検知すると、電力モードを通常電力モードに切り替えて動作する。【選択図】図２
2018022091.tif 000002
【特許請求の範囲】
【請求項１】
第１の電力モードと前記第１の電力モードよりも消費電力が小さい第２の電力モードとで動作する画像形成装置であって、
状態が変化することで、前記第２の電力モードから前記第１の電力モードへの切り替えのトリガとなる複数の構成部位と、
前記第２の電力モードで電力が供給され、２以上の前記構成部位の状態を検知するための単一の第１の検知手段と、
前記第１の電力モードで電力が供給され、前記第２の電力モードでは電力が供給されず、前記複数の構成部位に対応して設けられ、前記第１の電力モードにおいて、対応する構成部位の状態を検知するための複数の第２の検知手段と、
前記第２の電力モードで前記第１の検知手段が２以上の前記構成部位のいずれかの状態の変化を検知すると、電力モードを前記第１の電力モードに切り替え、前記複数の第２の検知手段の検知結果に基づいて、前記２以上の前記構成部位のそれぞれの状態変化を特定する制御手段と、を有することを特徴とする、
画像形成装置。
【請求項２】
前記第１の電力モード及び前記第２の電力モードのいずれでも電力を供給する第１電源と、
前記第１の電力モードで電力を供給し、前記第２の電力モードで電力の供給を遮断する第２電源と、を備えており、
前記第１の検知手段は前記第１電源から電力が供給され、
前記複数の第２の検知手段は前記第２電源から電力が供給されることを特徴とする、
請求項１記載の画像形成装置。
【請求項３】
前記複数の構成部位は前記画像形成装置の本体に開閉可能に設けられる複数の扉であり、
前記第１の検知手段は、２以上の前記扉の開閉を検知し、
前記第２の検知手段は、対応する前記扉の開閉を検知することを特徴とする、
請求項１又は２記載の画像形成装置。
【請求項４】
前記制御手段は、前記第２の電力モードで前記第１の検知手段の検知結果から２以上の前記扉の少なくとも一つが開かれたことを検知すると、電力モードを前記第１の電力モードに切り替えることを特徴とする、
請求項３記載の画像形成装置。
【請求項５】
前記制御手段は、電力モードを前記第１の電力モードに切り替えた後に、前記第２の検知手段の検知結果から開かれた扉を特定することを特徴とする、
請求項３又は４記載の画像形成装置。
【請求項６】
前記制御手段は、特定した前記開かれた扉を閉じるようにユーザに指示することを特徴とする、
請求項５記載の画像形成装置。
【請求項７】
更に、情報を表示する表示手段を有し、
前記制御手段は、前記表示手段に、前記ユーザに特定した前記開かれた扉を閉じることを促すことを表示させることを特徴とする、
請求項６記載の画像形成装置。
【請求項８】
第１の電力モードと前記第１の電力モードよりも消費電力が小さい第２の電力モードとで動作し、
状態が変化することで、前記第２の電力モードから前記第１の電力モードへの切り替えのトリガとなる複数の構成部位と、
前記第２の電力モードで電力が供給され、２以上の前記構成部位の状態を検知するための単一の第１の検知手段と、
前記第１の電力モードで電力が供給され、前記第２の電力モードでは電力が供給されず、前記複数の構成部位に対応して設けられ、前記第１の電力モードにおいて、対応する構成部位の状態を検知するための複数の第２の検知手段と、を備える画像形成装置により実行される制御方法であって、
前記第２の電力モードで前記第１の検知手段が２以上の前記構成部位のいずれかの状態の変化を検知すると、電力モードを前記第１の電力モードに切り替え、前記複数の第２の検知手段の検知結果に基づいて、前記２以上の前記構成部位のそれぞれの状態変化を特定することを特徴とする、
画像形成装置の制御方法。
【発明の詳細な説明】
【技術分野】
【０００１】
本発明は、プリンタ、複写機、複合機等の画像形成装置等に関する。
【背景技術】
【０００２】
環境意識の高まりから、画像形成装置においても省電力化の要求が高まっている。そのために画像形成装置には、画像形成処理終了或いはユーザによる操作終了から所定時間経過後に、電力モードを通常電力モードから省電力モードに自動的に切り替えて、待機時の消費電力を削減するものがある。画像形成装置は、ユーザが操作部等により所定の操作を行うことで省電力モードから通常電力モードに復帰する。このような操作はユーザの使い勝手を低下させる要因となる。特に、省電力モードに頻繁に切り替わるように設定された画像形成装置は、ユーザが所定の操作を行う回数が増加して使い勝手が低下する。
【０００３】
特許文献１の画像形成装置は、省電力モードで待機しているときに、画像形成処理の準備行為をトリガとして通常電力モードに復帰する。この画像形成装置は、省電力モード時にユーザによる着脱或いは移動可能なユニットの状態変化（用紙カセットの開閉、扉の開閉等）を光学センサで検知し、これをトリガとして通常電力モードへ復帰する。光学センサは、複数設けられるが、複数の光学センサの電源を共通にすることで、光学センサの周辺部品が削減される。
【先行技術文献】
【特許文献】
【０００４】
【特許文献１】特開２００５−２７５１５４号公報
【発明の概要】
【発明が解決しようとする課題】
【０００５】
複数の光学センサは、画像形成装置の着脱或いは移動可能なユニットの各々に対応して設けられる。そのために光学センサ自体の数を削減することはできない。また、光学センサは省電力モード時にも動作する必要があるために、省電力モードであっても余分な消費電力が発生してしまう。
【０００６】
本発明は、上記の問題に鑑み、省電力モードにおける消費電力を削減する画像形成装置を提供することを主たる課題とする。
【課題を解決するための手段】
【０００７】
本発明の画像形成装置は、第１の電力モードと前記第１の電力モードよりも消費電力が小さい第２の電力モードとで動作する画像形成装置であって、状態が変化することで、前記第２の電力モードから前記第１の電力モードへの切り替えのトリガとなる複数の構成部位と、前記第２の電力モードで電力が供給され、２以上の前記構成部位の状態を検知するための単一の第１の検知手段と、前記第１の電力モードで電力が供給され、前記第２の電力モードでは電力が供給されず、前記複数の構成部位に対応して設けられ、前記第１の電力モードにおいて、対応する構成部位の状態を検知するための複数の第２の検知手段と、前記第２の電力モードで前記第１の検知手段が２以上の前記構成部位のいずれかの状態の変化を検知すると、電力モードを前記第１の電力モードに切り替え、前記複数の第２の検知手段の検知結果に基づいて、前記２以上の前記構成部位のそれぞれの状態変化を特定する制御手段と、を有することを特徴とする。
【発明の効果】
【０００８】
本発明によれば、第２の電力モードで第１の検知手段だけが動作し、第１の電力モードの検知結果により第２の電力モードから第１の電力モードへ電力モードが切り替わる。そのために、第２のモードにおいて検知手段の数を削減して、消費電力を削減することができる。
【図面の簡単な説明】
【０００９】
【図１】画像形成装置の全体構成図。
【図２】光学センサの配置例示図。
【図３】両扉センサの説明図。
【図４】前扉及び右扉の開閉を判断するための真理値表。
【図５】制御系統の構成図。
【図６】各電源及び各センサの状態遷移のタイミングチャート。
【図７】電力モード変更時の処理を表すフローチャート。
【発明を実施するための形態】
【００１０】
以下、図面を参照して実施形態を詳細に説明する。
【００１１】
図１は、本実施形態の画像形成装置の全体構成図である。画像形成装置１は、原稿Ｄから原稿画像を読み取る画像読取部２と、用紙Ｓに画像を形成する画像形成部３と、ユーザインタフェースである操作部２１０とを有している。本実施形態では、画像形成用の色材として、現像剤の一例であるトナーを用いる。操作部２１０は、ディスプレイ及びユーザからの指示の入力を受け付ける各種ボタンを備える。
【００１２】
画像読取部２の上部には、透明ガラス板からなる原稿台４が設けられている。ユーザは、原稿台４の所定の位置に、画像面を下向きにして原稿Ｄを載置した後、原稿圧着板５でこれを押圧固定する。原稿台４の下側には、原稿Ｄを照明するランプ６と、照明した原稿Ｄの光像を画像処理ユニット７に導くための反射ミラー８、９、１０とを有する光学系が設けられている。ランプ６及び反射ミラー８、９、１０は、所定の速度で移動して原稿Ｄを走査する。画像処理ユニット７は、原稿Ｄの光像に基づいて画像データを生成する。
【００１３】
画像形成部３は、感光ドラム１１、帯電ローラ１２、ロータリ現像ユニット１３、中間転写ベルト１４、転写ローラ１５、クリーナ１６、レーザユニット１７、用紙カセット１８、定着器１９、及び排出ローラ対２１を備える。
【００１４】
帯電ローラ１２は、レーザ光照射前に感光ドラム１１の表面を均一に帯電する。レーザユニット１７は、画像処理ユニット７で生成された画像データに基づいて帯電した感光ドラム１１の表面に光を照射し、静電潜像を形成する。ロータリ現像ユニット１３は、感光ドラム１１の表面に形成された静電潜像に、マゼンタ（Ｍ）、シアン（Ｃ）、イエロー（Ｙ）、ブラック（Ｋ）の各色トナーを付着させ、トナー像を形成する。
【００１５】
ロータリ現像ユニット１３は、回転現像方式を採用しており、現像器１３Ｋ、現像器１３Ｙ、現像器１３Ｍ、現像器１３Ｃを有し、モータ（不図示）により回転可能である。現像器１３Ｋはブラックの静電潜像、現像器１３Ｙはイエローの静電潜像、現像器１３Ｍはマゼンタの静電潜像、現像器１３Ｃはシアンの静電潜像を、それぞれ現像するために用いられる。感光ドラム１１上にモノクロのトナー像を形成するときは、感光ドラム１１と近接する現像位置に現像器１３Ｋが回転移動して現像を行う。同様に、フルカラーのトナー像を形成するときは、ロータリ現像ユニット１３の回転により、現像位置に現像器１３Ｙ〜１３Ｋが、順次配置されて、各色について順に現像を行う。
【００１６】
感光ドラム１１の表面に形成されたトナー像は、中間転写ベルト１４に転写される。クリーナ１６は、トナー像転写後の感光ドラム１１に残留したトナーを除去する。転写ローラ１５は、中間転写ベルト１４のトナー像を、用紙カセット１８又は手差しトレイ５０から給紙された用紙Ｓに転写する。定着器１９は、加熱及び加圧することで、搬送される用紙Ｓ上にトナー像を定着させる。定着器１９においてトナー像が定着された用紙Ｓは、排出ローラ対２１により、画像形成装置１から排出される。
【００１７】
画像形成装置１は、通常電力モードと省電力モードとの２つの電力モードをもつ。画像形成装置１は、通常電力モードでは、コピーや印刷等の画像形成処理に迅速に対応するために、画像形成装置１内の各部への通電を維持したまま待機する。画像形成装置１は、省電力モードでは、操作部２１０やファクシミリの受信等のジョブの受付機能を残し、それ以外の動作不要な部位への通電を停止したまま待機する。そのために、省電力モードの消費電力は通常電力モードの消費電力よりも小さい。
【００１８】
画像形成装置１の消費電力低減のためには、省電力モードで待機する時間を可能な限り長く保つほうがよい。通常電力モードから省電力モードへの切り替えは、ユーザが操作部２１０を操作することにより、任意のタイミングで行うことができる。また、ユーザによる操作部２１０への操作が行われない場合、画像形成装置１は、画像形成処理終了やユーザの操作終了から所定時間経過後に、通常電力モードから省電力モードに自動的に電力モードが切り替わる。画像形成装置１は、ユーザによる着脱或いは移動可能なユニットの状態変化（用紙カセット１８の開閉、本体に設けられる扉の開閉等）を検知することで、省電力モードから通常電力モードへ復帰する。
【００１９】
図２は、画像形成装置１に設けられるユーザによる着脱或いは移動可能なユニットの状態変化を検知するための光学センサの配置例示図である。ここでは、ユーザによる着脱或いは移動可能なユニットとして、画像形成装置１の本体に設けられる扉を例に説明する。
【００２０】
画像形成装置１は、ユーザがロータリ現像ユニット１３や感光ドラム１１等にアクセスするために、本体に開閉可能な前扉２２を備える。また画像形成装置１は、ユーザが中間転写ベルト１４、定着器１９、及び用紙Ｓが排出ローラ対２１で紙詰まりなど起こした場合にアクセスするために、本体に開閉可能な右扉２３を備える。画像形成装置１は、前扉２２及び右扉２３の開閉を検知するための光学センサを備える。本実施形態では、画像形成装置１は、前扉２２の開閉を検知するための光学センサとして、前扉センサ３１を備える。画像形成装置１は、前扉２２及び右扉２３の少なくとも一方が開いていることを検知するための単一の光学センサとして、両扉センサ３２を備える。画像形成装置１は、右扉２３の開閉を検知するための光学センサとして、右扉センサ３３を備える。なお、前扉センサ３１、両扉センサ３２、及び右扉センサ３３は、フォトインタラプタ等の光学センサの他にも、扉の開閉を検知可能なセンサであればどのような構成であってもよい。なお、本実施形態では、扉が開いているときに光学センサがオフになり、扉が閉まっているときに光学センサがオンになる。
【００２１】
図３は、両扉センサ３２の説明図である。両扉センサ３２は、片方の扉から押された場合にメカリンクが動作せずオンにならず、前扉２２及び右扉２３の両方から押される場合にオンになるようなメカ的な機構を持つ。即ち両扉センサ３２は、前扉２２及び右扉２３の一方でも開いているときにオフになり、両方が閉じているときにオンになる。但し、両扉センサ３２は、前扉２２及び右扉２３のどちらが開閉したかを識別することはできない。
【００２２】
図４は、通常電力モード時における前扉２２及び右扉２３の開閉を判断するための真理値表である。この真理値表は、前扉センサ３１、両扉センサ３２、及び右扉センサ３３の検知結果と各扉の開閉の関係を表す。図４において、「前扉開」は前扉２２が開いており、右扉２３が閉じている状態を示す。「右扉開」は右扉２３が開いており、前扉２２が閉じている状態を示す。「両扉開」は前扉２２と右扉２３の両方が開いている状態を示す。「両扉閉」は前扉２２と右扉２３の両方が閉じている状態を示す。なお、かっこ内は省電力モード時の状態を示す。後述するが、省電力モード時には前扉センサ３１及び右扉センサ３３には電力が供給されず、各扉の開閉状態に拘わらず前扉センサ３１及び右扉センサ３３の出力はオフ状態になっている。
【００２３】
前扉２２のみが開いている場合、通常電力モードでは前扉センサ３１及び両扉センサ３２はオフ状態になり、右扉センサ３３はオン状態である。詳細は後述するが、省電力モード中に前扉２２が開くと、両扉センサ３２の検知結果が前扉２２及び右扉２３のいずれかが開いたことを表すオフ状態となり、これをトリガとして、画像形成装置１が省電力モードから通常電力モードに復帰する。右扉２３は閉じたままなので、通常電力モードに復帰すると右扉センサ３３はオン状態になる。
【００２４】
右扉２３のみが開いている場合、通常電力モードでは両扉センサ３２及び右扉センサ３３はオフ状態になり、前扉センサ３１はオン状態である。省電力モード中に右扉２３が開くと、前述の前扉２２が開いた場合の動作と同様に、画像形成装置１が省電力モードから通常電力モードに復帰する。前扉２２は閉じたままなので、通常電力モードに復帰すると前扉センサ３１はオン状態になる。
【００２５】
前扉２２及び右扉２３の両方が開いている場合、通常電力モードでは前扉センサ３１、両扉センサ３２及び右扉センサ３３はすべてオフ状態になる。前扉２２及び右扉２３の両方が閉じている場合、通常電力モードでは前扉センサ３１、両扉センサ３２及び右扉センサ３３はすべてオン状態になる。
【００２６】
図５は、画像形成装置１の動作を制御する制御系統の構成図である。この制御系統は、画像形成装置１の電力モードが切り替わる際の電力供給を制御する構成を表しており、画像形成処理等の他の制御を行う構成については省略してある。制御系統としては、負荷制御部１１２及び主制御部１１３が設けられる。主制御部１１３は、第１電源２０１から電力が供給されて動作する。負荷制御部１１２は、第２電源２０２から電力が供給されて動作する。
【００２７】
主制御部１１３は、ＣＰＵ（Central Processing Unit）１０１、ＲＡＭ（Random Access Memory）１０２、ＬＡＮ制御部１０３、及びＦＡＸ制御部１０４を備える。ＣＰＵ１０１は、ＲＡＭ１０２をワークエリアに用いてコンピュータプログラムを実行することで、画像形成装置１の動作を制御する。コンピュータプログラムは、不図示のＲＯＭ（Read Only Memory）やストレージに格納されている。ＲＡＭ１０２は、画像形成装置１動作時の一時的なデータの格納に使用される。ＲＡＭ１０２は揮発性であるため、電力の供給が途絶されるとデータの保持ができなくなる。ＦＡＸ制御部１０４は、画像形成装置１によるファクシミリ機能を実現するものであり、公衆回線を介したデータの送受信を制御する。ＬＡＮ制御部１０３は、ＬＡＮ（Local Area Network）等の外部ネットワークとのデータの送受信を制御する。
【００２８】
負荷制御部１１２は、ＨＤＤ（Hard Disk Drive）１０８、センサ制御部１０９、駆動制御部１０７、及びＵＩ制御部１０５を備える。ＨＤＤ１０８は、印刷データやＣＰＵ１０１により実行されるコンピュータプログラム等の様々なデータを格納する大容量記憶装置である。ＨＤＤ１０８は、システムバス１１４を介して主制御部１１３の各部とのデータの送受信を行う。
【００２９】
センサ制御部１０９、駆動制御部１０７、及びＵＩ制御部１０５は、主制御部１１３にそれぞれ専用バスで接続される。センサ制御部１０９は、主制御部１１３の制御に応じて、前扉センサ３１、両扉センサ３２、右扉センサ３３等のセンサの状態を監視する。センサ制御部１０９は、各センサの検知結果を主制御部１１３に送信する。なお、両扉センサ３２は、主制御部１１３にも直接検知結果を送信する。駆動制御部１０７は、主制御部１１３の制御に応じて駆動部１０６の動作を制御することで、画像形成装置１内に設けられる各種ローラ等を駆動制御する。ＵＩ制御部１０５は、操作部２１０を制御する。ＵＩ制御部１０５は、主制御部１１３の制御に応じて操作部２１０のディスプレイへの各種情報の表示を行う。ＵＩ制御部１０５は、操作部２１０の各種ボタンによるユーザからの指示の入力を受け付けて主制御部１１３へ送信する。主制御部は、ＵＩ制御部１０５を介してユーザの指示を取得する。
【００３０】
第１電源２０１は、画像形成装置１の電力モード（通常電力モード、省電力モード）によらず、ＡＣ電源から供給された交流電力を直流電力に変換して、後段の装置（主制御部１１３及び両扉センサ３２）に供給する。そのために主制御部１１３及び両扉センサ３２は、電力モードによらず、常に動作する。主制御部１１３は、省電力モード中に両扉センサ３２の検知結果を監視する。主制御部１１３は、省電力モード中に両扉センサ３２の検知結果により前扉２２及び右扉２３の少なくとも一方が開かれたことを検知した場合に、電力モードを省電力モードから通常電力モードへ切り替える。そのために両扉センサ３２の検知結果は、負荷制御部１１２を介さずに、直接、主制御部１１３に入力される。
【００３１】
第２電源２０２は、画像形成装置１の電力モードが通常電力モードのときにのみ、ＡＣ電源から供給された交流電力を直流電力に変換して、後段の装置（負荷制御部１１２、前扉センサ３１、及び右扉センサ３３）に供給する。そのために負荷制御部１１２、前扉センサ３１、及び右扉センサ３３は、通常電力モードのときにのみ動作し、省電力モード中は動作しない。
【００３２】
主制御部１１３は、通常電力モード時に第１電源２０１及び第２電源２０２に電力を後段の装置に供給させ、省電力モード時に第１電源２０１に電力を後段の装置に供給させ且つ第２電源２０２に電力の後段の装置への供給を遮断させる。これにより省電力モード時には両扉センサ３２のみが動作し、通常電力モード時には前扉センサ３１、両扉センサ３２、及び右扉センサ３３がすべて動作する。そのために主制御部１１３は、省電力モード中に前扉２２及び右扉２３の開閉の状態を個別に検知することはできないが、通常電力モード中は個別に検知できる。
【００３３】
主制御部１１３は、省電力モード時に両扉センサ３２がオフ状態になったことにより電力モードを通常電力モードに復帰させる場合、前扉センサ３１、右扉センサ３３は、時間差を持ってオフ状態になる。両扉センサ３２は、省電力モード中に複数の扉（前扉２２、右扉２３）の開閉を監視する。つまり省電力モード中は１つのセンサが複数の扉の開閉を監視する。そのために、従来よりも省電力モードで動作するセンサの数を削減することができ、省電力モードにおけるさらなる省電力を実現できる。
【００３４】
図６は、電力モードに応じた各電源及び各センサの状態遷移のタイミングチャートである。
【００３５】
主制御部１１３は、操作部２１０からの指示或いは画像形成処理やユーザの操作終了から所定時間経過した後に、電力モードを通常電力モードから省電力モードに切り替える。この場合、主制御部１１３は、第２電源２０２に電力の供給を遮断させる。前扉センサ３１及び右扉センサ３３は、動作を停止する。両扉センサ３２は動作を継続する。
【００３６】
省電力モード中に右扉２３が開いた場合、両扉センサ３２の検知結果が変化して、主制御部１１３が前扉２２及び右扉２３の少なくともいずれか一方が開いたことを検知する。主制御部１１３は、これにより電力モードを省電力モードから通常電力モードに復帰させる。そのために主制御部１１３は、第２電源２０２に電力の供給を再開させる。第２電源２０２が電力供給を再開するために、前扉センサ３１及び右扉センサ３３が動作を再開する。
【００３７】
電力モードが通常電力モードに切り替わると、前扉センサ３１及び右扉センサ３３による前扉２２及び右扉２３の開閉の監視が再開する。主制御部１１３は、前扉センサ３１及び右扉センサ３３の検知結果により、前扉２２及び右扉２３の開閉を検知する。ここでは、右扉２３が開いているために、右扉センサ３３の検知結果がオフ状態となり、前扉センサ３１の検知結果がオン状態になる。主制御部１１３は、前扉センサ３１及び右扉センサ３３の検知結果により右扉２３が開いたことを検知する。
なお、省電力モード中に前扉２２が開いた場合には、電力モードが通常電力モードに復帰すると、前扉センサ３１の検知結果がオフ状態となり、右扉センサ３３の検知結果がオン状態になる。従って、主制御部１１３は前扉２２が開いたことを検知する。省電力モード中に前扉２２及び右扉２３と両方が開いた場合には、電力モードが通常電力モードに復帰すると、前扉センサ３１及び右扉センサ３３の検知結果がいずれもオフ状態になる。従って、主制御部１１３は前扉２２及び右扉２３と両方が開いたことを検知する。
【００３８】
主制御部１１３は、操作部２１０のディスプレイに扉が開いていることを表示して、ユーザに扉を閉じるように指示する。図６では、主制御部１１３は右扉２３が開いていることを操作部２１０のディスプレイに表示する。ユーザが操作部２１０のディスプレイの表示に応じて扉（右扉２３）を閉じることで、右扉センサ３３の検知結果が変化する。主制御部１１３は、右扉センサ３３の検知結果により右扉２３が閉じたことを検知する。主制御部１１３は、右扉２３が閉じたことを検知すると、操作部２１０のディスプレイの表示を終了する。
【００３９】
図７は、この画像形成装置１における電力モードと扉の開閉に係わる処理を表すフローチャートである。ここでは、省電力モード中に前扉２２及び右扉２３の少なくとも一つが開くことで通常電力モードへ切り替わる処理について説明する。
【００４０】
主制御部１１３は、画像形成装置１の電力モードを通常電力モードから省電力モードに切り替えるか否かを判断する（Ｓ１００）。省電力モードに切り替えない場合（Ｓ１００：N）、主制御部１１３は、画像形成装置１を通常電力モードのまま制御するので、処理をＳ１０３へ進める。省電力モードに切り替える場合（Ｓ１００：Y）、主制御部１１３は、第２電源２０２に電力供給を遮断させて、画像形成装置１の電力モードを省電力モードに切り替える。
【００４１】
主制御部１１３は、省電力モードで待機中に前扉２２及び右扉２３の少なくとも一つが開いたか否かの判断を行う（Ｓ１０１）。主制御部１１３は、両扉センサ３２の検知結果により前扉２２及び右扉２３の少なくとも一つが開いたかを判断する。前扉２２及び右扉２３の少なくとも一つが開いたことを検知するまで、主制御部１１３はこの判断を繰り返し行うことになる（Ｓ１０１：N）。前扉２２及び右扉２３の少なくとも一つが開いた場合（Ｓ１０１：Y）、主制御部１１３は、画像形成装置１の電力モードを通常電力モードに復帰させる（Ｓ１０２）。主制御部１１３は、第２電源２０２に電力供給を再開させて、画像形成装置１の電力モードを通常電力モードに切り替える。主制御部１１３は、通常電力モードに切り替えた後に、開かれた扉を特定する。
【００４２】
主制御部１１３は、電力供給が再開された右扉センサ３３の検知結果から右扉２３が開いたか否かの判断を行う（Ｓ１０３）。右扉２３が開いている場合（Ｓ１０３：Y）、主制御部１１３は、操作部２１０のディスプレイに右扉２３が開いていることを表示して、ユーザに右扉２３を閉じるように指示する。ここでは、主制御部１１３は、操作部２１０のディスプレイに「右扉  開いています」と表示する（Ｓ１０４）。表示後に主制御部１１３は、右扉センサ３３の検知結果から右扉２３が閉じられたか否かの判断を行う（Ｓ１０５）。右扉２３が閉じられるまで、主制御部１１３は、Ｓ１０４の表示を継続する（Ｓ１０５：N）。主制御部１１３は、右扉２３が閉じられたことを右扉センサ３３により検知すると（Ｓ１０５：Y）、「右扉  開いています」の表示を消す（Ｓ１０６）。
【００４３】
Ｓ１０３の処理で右扉２３が閉じている場合（Ｓ１０３：N）、主制御部１１３は、電力供給が再開された前扉センサ３１の検知結果から前扉２２が開いたか否かの判断を行う（Ｓ１０７）。前扉２２が開いている場合（Ｓ１０７：Y）、主制御部１１３は、操作部２１０のディスプレイに前扉２２が開いていることを表示して、ユーザに前扉２２を閉じるように指示する。ここでは、主制御部１１３は、操作部２１０のディスプレイに「前扉  開いています」と表示する（Ｓ１０８）。表示後に主制御部１１３は、前扉センサ３１の検知結果から前扉２２が閉じられたか否かの判断を行う（Ｓ１０９）。前扉２２が閉じられるまで、主制御部１１３は、Ｓ１０７の表示を継続する（Ｓ１０９：N）。主制御部１１３は、前扉２２が閉じられたことを前扉センサ３１により検知すると（Ｓ１０９：Y）、「前扉  開いています」の表示を消す（Ｓ１１０）。
【００４４】
なお、Ｓ１０６の処理で前扉２２が閉じている場合（Ｓ１０７：N）、前扉２２及び右扉２３がいずれも閉じていることになる。これは、Ｓ１０１の処理で扉が開いていると判断されてからＳ１０３の処理或いはＳ１０７の処理までの間に扉が閉じられたことを意味する。この場合、主制御部１１３は、再び、Ｓ１００からの処理を繰り返す。
【００４５】
その後、主制御部１１３は、両扉センサ３２の検知結果により前扉２２及び右扉２３がいずれも閉じているか否かを判断する（Ｓ１１１）。前扉２２及び右扉２３の少なくとも一つが開いている場合（Ｓ１１１：N）、主制御部１１３は、Ｓ１０３以降の処理を繰り返し行う。前扉２２及び右扉２３がいずれも閉じている場合（Ｓ１１１：Y）、主制御部１１３は、再び、Ｓ１００からの処理を繰り返す。
【００４６】
このように本実施形態の画像形成装置１は、省電力モード中は２以上の扉の開閉を１つのセンサで検知する。そのために省電力モード中でも各扉に対応して複数のセンサを監視していた従来の構成よりも、省電力モード中に監視するセンサの数を削減することができる。そのために省電力モード中の消費電力が削減される。本実施形態ではセンサの検知対象を複数の扉で説明したが、扉以外の、状態が変化することで省電力モードから通常電力モードへの電力モードの切り替えのトリガになる構成部位に設けられるセンサであれば、同様に数及び消費電力を削減することができる。このような構成部位には、画像形成装置１に着脱可能な用紙カセット１８のようなユニットがある。
【図１】
2018022091.tif 000003
【図２】
2018022091.tif 000004
【図３】
2018022091.tif 000005
【図４】
2018022091.tif 000006
【図５】
2018022091.tif 000007
【図６】
2018022091.tif 000008
【図７】
2018022091.tif 000009